【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
ハウジングであって、
下部と、
上部と、
対向する側壁の第１のペアであって、前記第１のペアの各々の前記側壁は前記第１のペアの他方の側壁とほぼ同じ長さを有する、対向する側壁の第１のペアと、
対向する側壁の第２のペアであって、前記第２のペアの各々の前記側壁は前記第２のペアの他方の側壁とほぼ同じ長さを有する、対向する側壁の第２のペアと、
前記側壁の第２のペアのうちの一方の側壁内の少なくとも１つの第１の支持ワイヤ開口部及び前記側壁の第２のペアのうちの他方の側壁内の少なくとも１つの第２の支持ワイヤ開口部であって、前記少なくとも１つの第１の支持ワイヤ開口部は、前記少なくとも１つの第２の支持ワイヤ開口部と位置合わせされた、第１及び第２の支持ワイヤ開口部と、を備える、ハウジングと、
前記ハウジング内部に配設された少なくとも１つの支持ワイヤ・ファスナであって、前記少なくとも１つの第１の支持ワイヤ開口部及び前記少なくとも１つの第２の支持ワイヤ開口部と位置合わせされた、支持ワイヤ・ファスナと、
前記ハウジング内部に配設された上面を有する印刷回路基板と、
前記印刷回路基板の上面に動作可能に接続された複数の発光素子であって、前記ハウジング上部は前記複数の発光素子の各々と位置合わせされたホールを有する、複数の発光素子と、
前記側部の第１のペアのうちの１つの側部から外側に延在する少なくとも１つのコネクタと、
前記側部の第１のペアのうちの他方の側部から外側に延在する少なくとも１つの逆コネクタと、を備え、
前記少なくとも１つのコネクタ及び前記少なくとも１つの逆コネクタは、前記対向する側部の第２のペアから同じ距離を置いて配置される、
モジュラ発光ディスプレイ。
【請求項２】
前記ハウジングは、ほぼ正方形又は長方形の断面を有する、請求項１に記載のモジュラ発光ディスプレイ。
【請求項３】
前記ハウジングは、ほぼ正方形の断面を有する、請求項１に記載のモジュラ発光ディスプレイ。
【請求項４】
前記ハウジングは、カバーを有するシェルを備える、請求項１に記載のモジュラ発光ディスプレイ。
【請求項５】
前記カバーは、取り外し可能である、請求項４に記載のモジュラ発光ディスプレイ。
【請求項６】
各コネクタは、ボール・コネクタであり、
各逆コネクタは、ソケット・コネクタである、請求項１に記載のモジュラ発光ディスプレイ。
【請求項７】
前記印刷回路基板は、前記ハウジング内に配設された印刷回路基板ベース上に載置される、請求項１に記載のモジュラ発光ディスプレイ。
【請求項８】
前記複数の発光素子の少なくとも１つは、ＬＥＤ、ＬＣＤ、又はＯＬＥＤである、請求項１に記載のモジュラ発光ディスプレイ。
【請求項９】
前記複数の発光素子の少なくとも１つは、ＬＥＤである、請求項１に記載のモジュラ発光ディスプレイ。
【請求項１０】
前記対向する側壁の第２のペアのうちの１つの側壁から、前記側壁の第２のペアのうちの前記対向する側壁へと延在する、少なくとも１つの支持ワイヤ・チャネルを更に備え、
前記少なくとも１つの支持ワイヤ・チャネルは、第１の端部及び第２の端部を有し、前記第１の端部は前記少なくとも１つの第１の支持ワイヤ開口部で終端し、前記第２の端部は前記少なくとも１つの第２の支持ワイヤ開口部で終端し、前記少なくとも１つの支持ワイヤ・ファスナは、前記少なくとも１つの支持ワイヤ・チャネル内に配設される、請求項１に記載のモジュラ発光ディスプレイ。
【請求項１１】
前記対向する側壁の第２のペアのうちの１つの側壁から前記側壁の第２のペアのうちの前記対向する側壁へと延在する、少なくとも１つのケーブル・チャネルを更に備え、
前記少なくとも１つのケーブル・チャネルは、第１の端部及び第２の端部を有し、前記第１の端部は第１のケーブル開口部で終端し、前記第２の端部は第２のケーブル開口部で終端する、請求項１に記載のモジュラ発光ディスプレイ。
【請求項１２】
前記支持ワイヤ・ファスナは、支持ワイヤ・クランプである、請求項１に記載のモジュラ発光ディスプレイ。
【請求項１３】
前記少なくとも１つの支持ワイヤ・チャネル内に配設された前記少なくとも１つの支持ワイヤ・ファスナは、
前記少なくとも１つの支持ワイヤ・チャネルの前記第１及び第２の端部の各々に配設された支持ワイヤ・クランプを含む、請求項１０に記載のモジュラ発光ディスプレイ。
【請求項１４】
ハウジングであって、
下部と、
上部と、
対向する側壁の第１のペアであって、前記第１のペアの各々の前記側壁は前記第１のペアの他方の側壁とほぼ同じ長さを有する、対向する側壁の第１のペアと、
対向する側壁の第２のペアであって、前記第２のペアの各々の前記側壁は前記第２のペアの他方の側壁とほぼ同じ長さを有する、対向する側壁の第２のペアと、
第１及び第２の支持ワイヤ開口部の複数のペアであって、前記第１の支持ワイヤ開口部は前記側壁の第２のペアの一方の側壁内にあり、前記第２の支持ワイヤ開口部は前記側壁の第２のペアの他方の側壁内にあり、各ペアの前記第１の支持ワイヤ開口部は各ペアの前記第２のワイヤ支持開口部と位置合わせされた、第１及び第２の支持ワイヤ開口部の複数のペアと、を備える、ハウジングと、
前記ハウジング内部に配設された複数の支持ワイヤ・ファスナであって、各支持ワイヤ・ファスナは支持ワイヤ開口部のペアと位置合わせされた、複数の支持ワイヤ・ファスナと、
前記ハウジング内部に配設された上面を有する印刷回路基板と、
前記印刷回路基板の上面に動作可能に接続された複数の発光素子であって、前記ハウジング上部は前記複数の発光素子の各々と位置合わせされたホールを有する、複数の発光素子と、
前記側部の第１のペアのうちの１つの側部から外側に延在する複数のコネクタであって、前記１つの側部に沿って互いに間隔を置いて配置された複数のコネクタと、
前記側部の第１のペアのうちの他方の側部から外側に延在する同じ数の逆コネクタであって、各コネクタは対応する逆コネクタを有し、各コネクタ及び対応する逆コネクタは対向する側部の第２のペアから等しい距離を置いて配置される、同じ数の逆コネクタと、を備える、
モジュラ発光ディスプレイ。
【請求項１５】
前記ハウジングは、ほぼ正方形又は長方形の断面を有する、請求項１４に記載のモジュラ発光ディスプレイ。
【請求項１６】
前記ハウジングは、ほぼ正方形の断面を有する、請求項１４に記載のモジュラ発光ディスプレイ。
【請求項１７】
前記ハウジングは、カバーを有するシェルを備える、請求項１４に記載のモジュラ発光ディスプレイ。
【請求項１８】
前記カバーは、取り外し可能である、請求項１７に記載のモジュラ発光ディスプレイ。
【請求項１９】
各コネクタは、ボール・コネクタであり、
各逆コネクタは、ソケット・コネクタである、請求項１４に記載のモジュラ発光ディスプレイ。
【請求項２０】
前記印刷回路基板は、前記ハウジング内に配設された印刷回路基板ベース上に載置される、請求項１４に記載のモジュラ発光ディスプレイ。
【請求項２１】
少なくとも１つの発光素子は、ＬＥＤ、ＬＣＤ、又はＯＬＥＤである、請求項１４に記載のモジュラ発光ディスプレイ。
【請求項２２】
少なくとも１つの発光素子は、ＬＥＤである、請求項１４に記載のモジュラ発光ディスプレイ。
【請求項２３】
複数の支持ワイヤ・チャネルを更に備え、
各支持ワイヤ・チャネルは、支持開口部のペアのうちの第１の支持ワイヤ開口部のうちの１つから、前記支持ワイヤ開口部のペアのうちの第２の支持ワイヤ開口部へと延在し、前記支持ワイヤ・ファスナのうちの少なくとも１つは各支持ワイヤ・チャネル内に配設される、請求項１４に記載のモジュラ発光ディスプレイ。
【請求項２４】
前記対向する側壁の第２のペアのうちの１つの側壁から前記側壁の第２のペアのうちの前記対向する側壁へと延在する、少なくとも１つのケーブル・チャネルを更に備え、
前記少なくとも１つのケーブル・チャネルは、第１の端部及び第２の端部を有し、前記第１の端部は第１のケーブル開口部で終端し、前記第２の端部は第２のケーブル開口部で終端する、請求項１４に記載のモジュラ発光ディスプレイ。
【請求項２５】
前記支持ワイヤ・ファスナの少なくとも１つは、支持ワイヤ・クランプである、請求項１４に記載のモジュラ発光ディスプレイ。
【請求項２６】
各支持ワイヤ・チャネル内に配設された前記少なくとも１つの支持ワイヤ・ファスナは
前記少なくとも１つの支持ワイヤ・チャネルの前記第１及び第２の端部の各々に配設された支持ワイヤ・クランプを更に備える、請求項２３に記載のモジュラ発光ディスプレイ。
【請求項２７】
ハウジングであって、
下部と、
上部と、
対向する側壁の第１のペアであって、前記第１のペアの各々の前記側壁は前記第１のペアの他方の側壁とほぼ同じ長さを有する、対向する側壁の第１のペアと、
対向する側壁の第２のペアであって、前記第２のペアの各々の前記側壁は前記第２のペアの他方の側壁とほぼ同じ長さを有する、対向する側壁の第２のペアと、
を備える、ハウジングと、
前記ハウジング内部に配設された上面を有する印刷回路基板と、
前記印刷回路基板の上面に動作可能に接続された複数の発光素子であって、前記ハウジング上部は前記複数の発光素子の各々と位置合わせされたホールを有する、複数の発光素子と、
前記側部の第１のペアのうちの１つの側部から外側に延在する複数のボール・コネクタであって、前記１つの側部に沿って互いに間隔を置いて配置された複数のボール・コネクタと、
前記側部の第１のペアのうちの他方の側部から外側に延在する同じ数の逆ソケット・コネクタであって、各ボール・コネクタは対応する逆ソケット・コネクタを有し、各コネクタ及び対応する逆コネクタは対向する側部の第２のペアから等しい距離を置いて配置される、同じ数の逆ソケット・コネクタと、を備える、
モジュラ発光ディスプレイ。
【請求項２８】
前記ハウジングは、ほぼ正方形又は長方形の断面を有する、請求項２７に記載のモジュラ発光ディスプレイ。
【請求項２９】
前記ハウジングは、ほぼ正方形の断面を有する、請求項２７に記載のモジュラ発光ディスプレイ。
【請求項３０】
前記ハウジングは、カバーを有するシェルを備える、請求項２７に記載のモジュラ発光ディスプレイ。
【請求項３１】
前記カバーは、取り外し可能である、請求項３０に記載のモジュラ発光ディスプレイ。
【請求項３２】
前記印刷回路基板は、前記ハウジング内に配設された印刷回路基板ベース上に載置される、請求項２７に記載のモジュラ発光ディスプレイ。
【請求項３３】
前記複数の発光素子の少なくとも１つは、ＬＥＤ、ＬＣＤ、又はＯＬＥＤである、請求項２７に記載のモジュラ発光ディスプレイ。
【請求項３４】
前記複数の発光素子の少なくとも１つは、ＬＥＤである、請求項２７に記載のモジュラ発光ディスプレイ。
【請求項３５】
少なくとも２つの隣接する発光ディスプレイを備えるモジュラ発光ディスプレイのアレイであって、
各発光ディスプレイは、
ハウジングであって、
下部と、
上部と、
対向する側壁の第１のペアであって、前記第１のペアの各々の前記側壁は前記第１のペアの他方の側壁とほぼ同じ長さを有する、対向する側壁の第１のペアと、
対向する側壁の第２のペアであって、前記第２のペアの各々の前記側壁は前記第２のペアの他方の側壁とほぼ同じ長さを有する、対向する側壁の第２のペアと、
前記側壁の第２のペアのうちの一方の側壁内の少なくとも１つの第１の支持ワイヤ開口部及び前記側壁の第２のペアのうちの他方の側壁内の少なくとも１つの第２の支持ワイヤ開口部であって、前記少なくとも１つの第１の支持ワイヤ開口部は、前記少なくとも１つの第２の支持ワイヤ開口部と位置合わせされた、第１及び第２の支持ワイヤ開口部と、を有するハウジングを備え、
前記アレイは、
各発光ディスプレイ内の前記少なくとも１本の第１の支持ワイヤ開口部及び前記少なくとも１本の第２の支持ワイヤ開口部を介して延在する少なくとも１本の支持ワイヤであって、前記隣接する発光ディスプレイを固定する少なくとも１本の支持ワイヤを備える、モジュラ発光ディスプレイのアレイ。
【請求項３６】
前記発光ディスプレイは、折り畳まれた位置と開いた位置との間で移動可能である、請求項３５に記載のアレイ。
【請求項３７】
前記ハウジング内部に配設された少なくとも１つの支持ワイヤ・ファスナを更に備える、請求項３５に記載のアレイ。
【請求項３８】
前記支持ワイヤ・ファスナは、支持ワイヤ・クランプである、請求項３７に記載のアレイ。
【請求項３９】
複数の支持ワイヤ・チャネルを更に備え、
各支持ワイヤ・チャネルは、前記支持ワイヤ開口部のペアのうちの第１の支持ワイヤ開口部のうちの１つから、前記支持ワイヤ開口部のペアのうちの第２の支持ワイヤ開口部へと延在し、前記少なくとも１つの支持ワイヤ・ファスナのうちの少なくとも１つは各支持ワイヤ・チャネル内に配設される、請求項３７に記載のアレイ。
【請求項４０】
前記少なくとも１つの支持ワイヤ・チャネル内に配設された少なくとも１つの支持ワイヤ・ファスナを備える、請求項９に記載のモジュラ発光ディスプレイ。
【請求項４１】
前記少なくとも１つの支持ワイヤ・ファスナは、支持ワイヤ・クランプである、請求項３９に記載のアレイ。
【請求項４２】
各支持ワイヤ開口部に隣接する各支持ワイヤ・チャネルの端部に配設された支持ワイヤ・クランプを備える、請求項９に記載のモジュラ発光ディスプレイ。
【請求項４３】
前記側壁の第１のペアのうちの１つの側壁から外側に延在する複数のコネクタであって、前記１つの側壁に沿って互いに間隔を置いて配置された複数のコネクタと、
前記側壁の第１のペアのうちの他方の側壁から外側に延在する同じ数の逆コネクタであって、各コネクタは対応する逆コネクタを有し、各コネクタ及び対応する逆コネクタは対向する側壁の前記第２のペアから等しい距離を置いて配置される、同じ数の逆コネクタと、
を更に備える、請求項３５に記載のアレイ。
【請求項４４】
前記ハウジングは、ほぼ正方形又は長方形の断面を有する、請求項３５に記載のアレイ。
【請求項４５】
前記ハウジングは、ほぼ正方形の断面を有する、請求項３５に記載のアレイ。
【請求項４６】
前記ハウジングは、カバーを有するシェルを備える、請求項３５に記載のアレイ。
【請求項４７】
前記カバーは、取り外し可能である、請求項４６に記載のアレイ。
【請求項４８】
各コネクタは、ボール・コネクタであり、
各逆コネクタは、ソケット・コネクタである、請求項４３に記載のアレイ。
【請求項４９】
前記ハウジング内部に配設された上面を有する印刷回路基板と、
前記印刷回路基板の前記上面に動作可能に接続された複数の発光素子と、を更に備え、
前記ハウジング上部は、前記複数の発光素子の各々と位置合わせされたホールを有する、請求項３５に記載のアレイ。
【請求項５０】
前記印刷回路基板は、前記ハウジング内に配設された印刷回路基板ベース上に載置される、請求項４９に記載のアレイ。
【請求項５１】
少なくとも１つの発光素子は、ＬＥＤ、ＬＣＤ、又はＯＬＥＤである、請求項４９に記載のアレイ。
【請求項５２】
少なくとも１つの発光素子は、ＬＥＤである、請求項４９に記載のアレイ。
【請求項５３】
前記支持ワイヤ・ファスナは、支持ワイヤ・クランプである、請求項３５に記載のアレイ。
【請求項５４】
前記少なくとも１つのワイヤ支持チャネルの前記第１及び第２の端部に配設された支持ワイヤ・クランプを備える、請求項３５に記載のアレイ。